(57)【要約】【課題】製造コストを上昇させることなく、かつ、画質や音質を低下させることなくデータをより高品質に記録できる光ディスク装置を提供する。【解決手段】ウォブルが形成された光ディスク（ＤＶＤ１４１）に対しデータの記録を行う光ディスク装置（ＤＶＤレコーダ１）において、ＤＶＤ１４１からの反射光により得られた信号が通過するバンドパスフィルタ（ＢＰＦ）を有し、当該ＢＰＦを通過した信号に基づいてウォブル信号を検出するウォブル信号検出回路１６と、ＢＰＦを調整するための調整値をレジスタ値として記憶するレジスタ１８３と、を備え、レジスタ値を１ＬＳＢずつ変えて当該レジスタ値に基づきＢＰＦを調整して各レジスタ値に対応する当該ＢＰＦを通過した信号の振幅を取得し、当該取得された振幅が最大である際のレジスタ値を特定し、データ記録を行う際に当該特定されたレジスタ値に＋１ＬＳＢ加えた値に基づいてＢＰＦを調整するよう構成した。【選択図】図１
2010287286.tif 000002
【特許請求の範囲】
【請求項１】
ウォブルが形成された光ディスクに対しデータの記録を行う光ディスク装置において、
前記光ディスクからの反射光により得られた信号が通過するバンドパスフィルタを有し、当該バンドパスフィルタを通過した信号に基づいて前記ウォブルによるウォブル信号を検出する検出手段と、
前記バンドパスフィルタを調整するための調整値をレジスタ値として記憶するレジスタと、
前記レジスタ値を１ＬＳＢずつ変えて、当該レジスタ値に基づき前記バンドパスフィルタを調整し、各レジスタ値に対応する当該バンドパスフィルタを通過した信号の振幅を取得する取得手段と、
前記取得手段により取得された振幅が最大である際の前記レジスタ値を特定する特定手段と、
データの記録を行う際に、前記特定手段により特定されたレジスタ値に＋１ＬＳＢ加えた値に基づいて前記バンドパスフィルタを調整する調整手段と、
を備えることを特徴とする光ディスク装置。
【請求項２】
ウォブルが形成された光ディスクに対しデータの記録及び再生を行う光ディスク装置において、
前記光ディスクからの反射光により得られた信号が通過するバンドパスフィルタを有し、当該バンドパスフィルタを通過した信号に基づいて前記ウォブルによるウォブル信号を検出する検出手段と、
前記バンドパスフィルタを調整するための調整値をレジスタ値として記憶するレジスタと、
前記レジスタ値を１ＬＳＢずつ変えて、当該レジスタ値に基づき前記バンドパスフィルタを調整し、各レジスタ値に対応する当該バンドパスフィルタを通過した信号の振幅を取得する取得手段と、
前記取得手段により取得された振幅が最大である際の前記レジスタ値を特定する特定手段と、
データの再生を行う際に、前記特定手段により特定されたレジスタ値に基づいて前記バンドパスフィルタを調整するとともに、データの記録を行う際に、前記特定手段により特定されたレジスタ値に＋１ＬＳＢを加えた値に基づいて前記バンドパスフィルタを調整する調整手段と、
を備えることを特徴とする光ディスク装置。
【発明の詳細な説明】
【技術分野】
【０００１】
本発明は、光ディスク装置に関する。
【背景技術】
【０００２】
光ディスクには、再生専用のＣＤ−ＲＯＭ（Compact Disk-Read Only Memory）、再生専用のＤＶＤ−ＲＯＭ（Digital Versatile Disk-Read Only Memory）、記録可能なＣＤ−Ｒ（Compact Disk-Recordable）、記録可能なＤＶＤ−Ｒ（Digital Versatile Disk-Recordable）やＤＶＤ＋Ｒ（Digital Versatile Disk+Recordable）、書き換え可能なＣＤ−ＲＷ（Compact Disk-ReWritable）、書き換え可能なＤＶＤ−ＲＷ（Digital Versatile Disk-ReWritable）やＤＶＤ＋ＲＷ（Digital Versatile Disk+ReWritable）、書き換え可能なＢＤ（Blu-ray Disc）等がある。
【０００３】
記録可能なＣＤ−ＲやＤＶＤ−Ｒなど、書き換え可能なＣＤ−ＲＷやＤＶＤ−ＲＷなどは、再生専用のＣＤ−ＲＯＭやＤＶＤ−ＲＯＭなどとは異なり、光ディスクの記録面に予めグルーブトラックとランドトラックとが形成されている。グルーブトラックの縁部には所定周期で蛇行したウォブルが形成されており、ウォブルの蛇行によるウォブル信号を検出して、そのウォブル信号を光ディスクの回転制御や記録クロックの生成などに用いるようになっている。したがって、ウォブル信号が高品質であると、画質や音質を低下させることなくデータを高品質に記録することができる。
【０００４】
従来、ウォブル信号を検出するウォブル信号検出回路が有するバンドパスフィルタは、当該バンドパスフィルタを通過した信号の振幅が最大となるように調整される。
具体的には、バンドパスフィルタを通過した信号の振幅を計測して、当該振幅が最大となるようにバンドパスフィルタを調整する光ディスク装置が知られている（例えば、特許文献１参照）。
また、特許文献１には、バンドパスフィルタを通過した信号のジッタを計測して、当該ジッタが最小となるようにバンドパスフィルタを調整する光ディスク装置についても記載されている。
【先行技術文献】
【特許文献】
【０００５】
【特許文献１】特開２００５−１１６１４８号公報
【発明の概要】
【発明が解決しようとする課題】
【０００６】
最高品質のウォブル信号を検出するためには、特許文献１記載の光ディスク装置のように、ジッタを直接計測して、当該ジッタが最小となるようにバンドパスフィルタを調整することが好ましい。
しかしながら、ジッタを計測するには、ジッタ計測回路等の新たな構成を光ディスク装置に追加する必要があり、光ディスク装置の製造コスト等が上昇してしまうという問題がある。
【０００７】
本発明の課題は、製造コストを上昇させることなく、かつ、画質や音質を低下させることなくデータをより高品質に記録できる光ディスク装置を提供することにある。
【課題を解決するための手段】
【０００８】
上記課題を解決するために、請求項１に記載の発明は、
ウォブルが形成された光ディスクに対しデータの記録を行う光ディスク装置において、
前記光ディスクからの反射光により得られた信号が通過するバンドパスフィルタを有し、当該バンドパスフィルタを通過した信号に基づいて前記ウォブルによるウォブル信号を検出する検出手段と、
前記バンドパスフィルタを調整するための調整値をレジスタ値として記憶するレジスタと、
前記レジスタ値を１ＬＳＢずつ変えて、当該レジスタ値に基づき前記バンドパスフィルタを調整し、各レジスタ値に対応する当該バンドパスフィルタを通過した信号の振幅を取得する取得手段と、
前記取得手段により取得された振幅が最大である際の前記レジスタ値を特定する特定手段と、
データの記録を行う際に、前記特定手段により特定されたレジスタ値に＋１ＬＳＢ加えた値に基づいて前記バンドパスフィルタを調整する調整手段と、
を備えることを特徴とする。
【０００９】
請求項２に記載の発明は、
ウォブルが形成された光ディスクに対しデータの記録及び再生を行う光ディスク装置において、
前記光ディスクからの反射光により得られた信号が通過するバンドパスフィルタを有し、当該バンドパスフィルタを通過した信号に基づいて前記ウォブルによるウォブル信号を検出する検出手段と、
前記バンドパスフィルタを調整するための調整値をレジスタ値として記憶するレジスタと、
前記レジスタ値を１ＬＳＢずつ変えて、当該レジスタ値に基づき前記バンドパスフィルタを調整し、各レジスタ値に対応する当該バンドパスフィルタを通過した信号の振幅を取得する取得手段と、
前記取得手段により取得された振幅が最大である際の前記レジスタ値を特定する特定手段と、
データの再生を行う際に、前記特定手段により特定されたレジスタ値に基づいて前記バンドパスフィルタを調整するとともに、データの記録を行う際に、前記特定手段により特定されたレジスタ値に＋１ＬＳＢを加えた値に基づいて前記バンドパスフィルタを調整する調整手段と、
を備えることを特徴とする。
【発明の効果】
【００１０】
本発明によれば、ジッタ計測回路等の新たな構成を追加しなくても、最高品質のウォブル信号を検出（抽出）することができる。したがって、製造コストを上昇させることなく、かつ、画質や音質を低下させることなくデータをより高品質に記録できる。
【図面の簡単な説明】
【００１１】
【図１】本実施形態のＤＶＤレコーダの機能的構成を示すブロック図である。
【図２】図１のウォブル信号検出回路の機能的構成を示すブロック図である。
【図３】ＢＰＦを通過した信号の振幅が最大である際のレジスタ値と、ウォブル信号検出回路によって検出されたウォブル信号のジッタが最小である際のレジスタ値と、の関係を説明するための図である。
【図４】本実施形態における、ＢＰＦを通過した信号の振幅が最大である際のレジスタ値を特定する処理について説明するためのフローチャートである。
【図５】本実施形態における、データの記録及び再生の際に行うＢＰＦの調整に関する処理について説明するためのフローチャートである。
【図６】変形例１における、データの記録及び再生の際に行うＢＰＦの調整に関する処理について説明するためのフローチャートである。
【発明を実施するための形態】
【００１２】
以下、図を参照して、本発明の実施の形態を詳細に説明する。ただし、発明の範囲は、図示例に限定されない。
本実施形態では、光ディスクとしてＤＶＤ１４１を例示するとともに、光ディスク装置としてＤＶＤレコーダ１を例示して、説明することとする。
【００１３】
ＤＶＤレコーダ１は、ウォブルが形成されたＤＶＤ１４１に対しデータの記録及び再生を行う装置である。
具体的には、ＤＶＤ１４１は、記録可能なＤＶＤ−Ｒであり、記録面に予めグルーブトラックとランドトラックとが形成されている。グルーブトラックの縁部には所定の周期で蛇行したウォブルが形成されており、ＤＶＤレコーダ１は、ウォブルの蛇行によるウォブル信号を検出することによって、データ記録やデータ再生のタイミング制御を行うようになっている。また、ランドトラックにはランドプリピットが形成されており、ＤＶＤレコーダ１は、ランドプリピットによるランドプリピット信号を検出することによって、ＤＶＤ１４１内での位置を特定するようになっている。
【００１４】
ＤＶＤレコーダ１は、例えば、図１に示すように、アンテナ１１ａに接続されたチューナ１１と、エンコーダ部１２と、ＤＶＤ信号処理部１３と、ＤＶＤドライブ部１４と、デコーダ部１５と、ウォブル信号検出回路１６と、操作部１７と、制御部１８と、等を備えて構成され、テレビジョン受像機３と接続している。
【００１５】
チューナ１１は、例えば、制御部１８から入力される制御信号に従って、テレビジョン放送波からテレビジョン放送信号（例えば、地上デジタル放送信号、ＢＳデジタル放送信号、ＣＳデジタル放送信号）を受信する。
具体的には、アンテナ１１ａは、例えば、地上デジタル放送、ＢＳデジタル放送及びＣＳデジタル放送のうちの少なくとも何れか１つを受信可能に構成される。チューナ１１は、そのアンテナ１１ａにより受信されたテレビジョン放送波から、所望の番組のチャンネルに対応する特定周波数帯域に存在するテレビジョン放送信号を受信して、低周波の信号に変換する。そして、当該テレビジョン放送信号に対して所定の処理を施してトランスポートストリーム（ＴＳ）に変換し、必要なＴＳパケットを取り出してエンコーダ部１２等に出力する。
【００１６】
エンコーダ部１２は、例えば、ビデオエンコーダと、オーディオエンコーダと、データエンコーダと、フォーマッタと、等を備えて構成される。
ビデオエンコーダは、入力される映像データを所定の圧縮方式に従って圧縮して、当該映像データをパケット化し、ビデオパケットとしてフォーマッタに送出する。
また、オーディオエンコーダは、入力される音声データを所定の圧縮方式に従って圧縮して、当該音声データをパケット化し、オーディオパケットとしてフォーマッタに送出する。
また、フォーマッタは、ビデオエンコーダから入力された映像データ、オーディオエンコーダから入力された音声データ等に対して多重化処理を行い、当該多重化処理されたデータを、ＤＶＤドライブ部１４においてＤＶＤ１４１に書き込み可能なファイル形式に変換して、ＤＶＤ信号処理部１３に供給する。
【００１７】
ＤＶＤ信号処理部１３は、エンコーダ部１２からデータが入力されると、当該データに対して誤り訂正符号化や変調などの所定の処理を施し、一旦ＤＶＤ信号処理部１３内のバッファメモリに貯めた後に、制御部１８から入力される制御信号に応じたタイミングでＤＶＤドライブ部１４等に出力する。これにより、ＤＶＤドライブ部１４において書き込み処理が行われる。
また、ＤＶＤ信号処理部１３は、ＤＶＤドライブ部１４において読み出し処理が行われてＤＶＤドライブ部１４からデータ（ＲＦ信号）が入力されると、当該データに対して復調や誤り訂正復号などの所定の処理を施し、一旦ＤＶＤ信号処理部１３内のバッファメモリに貯めた後に、制御部１８から入力される制御信号に応じたタイミングでデコーダ部１５等に出力する。
【００１８】
ＤＶＤドライブ部１４は、例えば、ＤＶＤドライブ部１４に着脱自在なＤＶＤ１４１と、光ピックアップ１４２と、ＲＦアンプ１４３と、モータ１４４と、サーボ回路１４５と、等を備えて構成されており、例えば、制御部１８から入力される制御信号に従って、ＤＶＤ１４１にデータを書き込む書き込み処理を行ったり、ＤＶＤ１４１に記録されたデータを読み出す読み出し処理を行ったりする。
【００１９】
光ピックアップ１４２は、例えば、対物レンズ（図示省略）と、レーザダイオード（図示省略）と、光検出器１４２ａと、レーザ駆動部（図示省略）と、等を備えて構成される。
【００２０】
光ピックアップ１４２は、例えば、制御部１８から入力される制御信号に従って、レーザダイオードから発光されるレーザ光を対物レンズによって集光させてレーザビームを生成し、当該レーザビームをＤＶＤ１４１に対して照射する。そして、ＤＶＤ１４１に照射されたレーザビームの反射光を光検出器１４２ａで検出する。
レーザ駆動部は、例えば、制御部１８から入力される制御信号に従って、レーザダイオードを駆動し、読み出しに必要な所定のレーザビームをＤＶＤ１４１に対して照射させることによって、ＤＶＤ１４１に記録されたデータを読み出させる。また、レーザ駆動部は、例えば、制御部１８から入力される制御信号に従って、レーザダイオードを駆動し、書き込みに必要な所定のレーザビームをＤＶＤ１４１に対して照射させることによって、ＤＶＤ１４１にデータを書き込ませる。
【００２１】
光検出器１４２ａは、ＤＶＤ１４１からの反射光を電気信号（反射光検出信号）に変換して、当該反射光検出信号を、ＲＦアンプ１４３やＲＦアンプ１４３を介して（或いは、直接）ウォブル信号検出回路１６等に出力する。
具体的には、光検出器１４２ａは、例えば、図２に示すように、４分割された第１部分Ａと、第２部分Ｂと、第３部分Ｃと、第４部分Ｄと、を有する４分割ディテクタである。
【００２２】
ＲＦアンプ１４３は、光ピックアップ１４２から入力された反射光検出信号から、ＲＦ信号、トラッキング信号、フォーカス信号等を生成して、当該生成した信号をＤＶＤ信号処理部１３や制御部１８などに出力する。
【００２３】
モータ１４４は、ＤＶＤ１４１を搭載する所定のターンテーブルを回転させるためのスピンドルモータ（図示省略）等を備えて構成される。
モータ１４４は、サーボ回路１４５により制御され、ＤＶＤ１４１を、例えば線速度が一定となるように回転運動させる。
【００２４】
サーボ回路１４５は、例えば、制御部１８から入力される制御信号に従って、モータ１４４を駆動制御し、所定の回転速度で回転運動させる。
また、サーボ回路１４５は、例えば、制御部１８から入力される制御信号に従って、スレッドモータ（図示省略）を駆動制御し、光ピックアップ１４２をＤＶＤ１４１の径方向に適宜移動させる。
【００２５】
デコーダ部１５は、例えば、分離部（Demultiplexer）と、ビデオデコーダと、オーディオデコーダと、データデコーダと、等を備えて構成される。
分離部は、ＤＶＤドライブ部１４からＤＶＤ信号処理部１３を介して入力されたデータ（データストリーム）を、ビデオストリーム、オーディオストリーム等の複数のストリームに分離する。
また、ビデオデコーダは、分離部から入力されたビデオストリームにデコード等の所定の処理を施す。そして、当該所定の処理が施されたビデオストリームは、ＤＶＤレコーダ１と接続するテレビジョン受像機３の映像表示部３１に出力される。
また、オーディオデコーダは、分離部から入力されるオーディオストリームにデコード等の所定の処理を施す。そして、当該所定の処理が施されたオーディオストリームは、ＤＶＤレコーダ１と接続するテレビジョン受像機３の音声出力部３２に出力される。
【００２６】
テレビジョン受像機３が備える映像表示部３１は、例えば、液晶表示機器であり、デコーダ部１５から出力された映像データ（ビデオストリーム）に基づく映像を表示する。
【００２７】
テレビジョン受像機３が備える音声出力部３２は、例えば、スピーカ機器であり、デコーダ部１５から出力された音声データ（オーディオストリーム）に基づく音声を出力する。
【００２８】
ウォブル信号検出回路１６は、検出手段として、ＤＶＤ１４１からの反射光により得られた信号が通過するバンドパスフィルタ（ＢＰＦ）１６４を有し、当該ＢＰＦ１６４を通過した信号に基づいてウォブルによるウォブル信号を検出（抽出）する。
具体的には、ウォブル信号検出回路１６は、例えば、図２に示すように、第１加算器１６１と、第２加算器１６２と、減算器１６３と、ＢＰＦ１６４と、２値化回路１６５と、周波数検出回路１６６と、等を備えて構成される。
【００２９】
第１加算器１６１は、光ピックアップ１４２の光検出器１４２ａが有する第１部分Ａ及び第４部分Ｄと接続しており、第１部分Ａからの信号と、第４部分Ｄからの信号と、を加算（Ａ＋Ｄ）して、減算器１６３に出力する。
また、第２加算器１６２は、光検出器１４２ａが有する第２部分Ｂ及び第３部分Ｃと接続しており、第２部分Ｂからの信号と、第３部分Ｃからの信号と、を加算（Ｂ＋Ｃ）して、減算器１６３に出力する。
【００３０】
減算器１６３は、第１加算器１６１から入力された信号（Ａ＋Ｄ）と、第２加算器１６２から入力された信号（Ｂ＋Ｃ）と、を用いてプッシュプル信号（（Ａ＋Ｄ）−（Ｂ＋Ｃ））を生成し、ＢＰＦ１６４に出力する。
【００３１】
ＢＰＦ１６４は、減算器１６３から入力されたプッシュプル信号から、ウォブル周波数以外のノイズ成分等を除去して、２値化回路１６５や制御部１８などに出力する。
ここで、ＢＰＦ１６４の特性（中間周波数等）は、制御部１８によって調整されるようになっている。
【００３２】
２値化回路１６５は、ＢＰＦ１６４を通過した信号から２値化信号を生成して、周波数検出回路１６６に出力する。
【００３３】
周波数検出回路１６６は、２値化回路１６５から入力された２値化信号からウォブル周波数成分（ウォブル信号）を検出して、制御部１８等に出力する。
【００３４】
操作部１７は、ＤＶＤレコーダ１の筐体の外面等に設けられた各種操作ボタン等から構成され、ユーザのボタン操作に伴う操作信号を制御部１８等に出力する。なお、操作部１７は、ＤＶＤレコーダ１を遠隔操作するリモートコントローラ等のその他の操作装置を備えるものとしても良い。
【００３５】
制御部１８は、例えば、図１に示すように、ＣＰＵ（Central Processing Unit）１８１と、ＲＡＭ（Random Access Memory）１８２と、レジスタ１８３と、記憶部１８４と、等を備えて構成され、ＤＶＤレコーダ１を構成する各部の動作を集中制御する。
【００３６】
ＣＰＵ１８１は、例えば、記憶部１８４に記憶されたＤＶＤレコーダ１用の各種処理プログラムに従って各種の制御動作を行う。
【００３７】
ＲＡＭ１８２は、例えば、ＣＰＵ１８１によって実行される処理プログラムなどを展開するためのプログラム格納領域、入力データや上記処理プログラムが実行される際に生じる処理結果などを格納するデータ格納領域等を備える。
【００３８】
レジスタ１８３は、例えば、ウォブル信号検出回路１６が備えるＢＰＦ１６４を調整するための調整値をレジスタ値として記憶している。
【００３９】
記憶部１８４は、例えば、ＤＶＤレコーダ１で実行可能なシステムプログラム、当該システムプログラムで実行可能な各種処理プログラム、これら各種処理プログラムを実行する際に使用されるデータ、ＣＰＵ１８１によって演算処理された処理結果のデータ等を記憶する。なお、プログラムは、コンピュータが読み取り可能なプログラムコードの形で記憶部１８４に記憶されている。
【００４０】
記憶部１８４は、例えば、図１に示すように、取得プログラム１８４ａと、特定プログラム１８４ｂと、調整プログラム１８４ｃと、を記憶している。
【００４１】
取得プログラム１８４ａは、レジスタ１８３のレジスタ値を１ＬＳＢ（least significant bit）ずつ変えて、当該レジスタ値に基づきＢＰＦ１６４を調整し、各レジスタ値に対応する当該ＢＰＦ１６４を通過した信号の振幅を取得する機能を、ＣＰＵ１８１に実現させる。
【００４２】
具体的には、レジスタ１８３には、ＢＰＦ１６４の特性を調整するための調整値として、予め初期値が記憶されている。
まず、ＣＰＵ１８１は、レジスタ１８３のレジスタ値（初期値）に基づきＢＰＦ１６４を調整して、当該ＢＰＦ１６４を通過した信号の振幅を取得し、当該取得した振幅を初期値に対応付けてＲＡＭ１８２等に記憶させる。
次いで、ＣＰＵ１８１は、レジスタ１８３のレジスタ値を＋１ＬＳＢずつ増加させながら（或いは、＋１ＬＳＢずつ減少させながら）、当該ＢＰＦ１６４を通過した信号の振幅を取得してＲＡＭ１８２等に記憶させる処理を、予め設定された回数（例えば、Ｎ回）に達するまで繰り返して行う。より具体的には、ＣＰＵ１８１は、初期値に＋１ＬＳＢ加えた値（或いは、−１ＬＳＢ加えた値）をレジスタ１８３に記憶させ、そのレジスタ１８３のレジスタ値（第１レジスタ値）に基づきＢＰＦ１６４を調整して、当該ＢＰＦ１６４を通過した信号の振幅を取得し、当該取得した振幅を第１レジスタ値に対応付けてＲＡＭ１８２等に記憶させる。次いで、ＣＰＵ１８１は、初期値に＋２ＬＳＢ加えた値（或いは、−２ＬＳＢ加えた値）をレジスタ１８３に記憶させ、そのレジスタ１８３のレジスタ値（第２レジスタ値）に基づきＢＰＦ１６４を調整して、当該ＢＰＦ１６４を通過した信号の振幅を取得し、当該取得した振幅を第２レジスタ値に対応付けてＲＡＭ１８２等に記憶させる。そして、ＣＰＵ１８１は、この一連の処理を、第Ｎレジスタ値に対応付けられた振幅がＲＡＭ１８２等に記憶されるまで、繰り返して行う。
ＣＰＵ１８１は、かかる取得プログラム１８４ａを実行することによって、取得手段として機能する。
【００４３】
特定プログラム１８４ｂは、取得プログラム１８４ａを実行したＣＰＵ１８１により取得された振幅が最大である際のレジスタ値を特定する機能を、ＣＰＵ１８１に実現させる。
【００４４】
具体的には、ＣＰＵ１８１は、ＲＡＭ１８２等に記憶された振幅取得結果から、ＢＰＦ１６４を通過した信号の振幅が最大である際のレジスタ値を特定して、当該特定した値をレジスタ１８３に記憶させる。
ここで、ＢＰＦ１６４を通過した信号の振幅と、レジスタ値と、の関係は、例えば、図３の黒丸プロット（●）で示すような関係になる。すなわち、所定のレジスタ値（図３のＲ１）を越えるまでは、レジスタ値が増加するにつれて振幅は増加し、当該所定のレジスタ値（Ｒ１）を超えると、レジスタ値が増加するにつれて振幅は減少するようになっている。したがって、当該所定のレジスタ値（Ｒ１）が、ＢＰＦ１６４を通過した信号の振幅が最大である際のレジスタ値と特定される。
ＣＰＵ１８１は、かかる特定プログラム１８４ｂを実行することによって、特定手段として機能する。
【００４５】
調整プログラム１８４ｃは、データの再生や記録を行う際に、特定プログラム１８４ｂを実行したＣＰＵ１８１により特定されたレジスタ値に＋１ＬＳＢを加えた値に基づいてＢＰＦ１６４を調整する機能を、ＣＰＵ１８１に実現させる。
【００４６】
ウォブル信号の品質は、ウォブル信号のジッタ（ジッタ：信号の時間的な揺らぎ量）によって評価することができる。すなわち、ジッタが小さいウォブル信号ほど、高品質である。
ウォブル信号検出回路１６によって検出されたウォブル信号のジッタと、レジスタ値と、の関係は、例えば、図３の白丸プロット（○）で示すような関係になる。すなわち、所定のレジスタ値（図３のＲ２）を越えるまでは、レジスタ値が増加するにつれてジッタは減少し、当該所定のレジスタ値（Ｒ２）を超えると、レジスタ値が増加するにつれてジッタは増加するようになっている。したがって、当該所定のレジスタ値（Ｒ２）が、ウォブル信号検出回路１６によって検出されたウォブル信号のジッタが最小である際のレジスタ値、すなわち、ウォブル信号検出回路１６によって最高品質のウォブル信号が検出できる際のレジスタ値と特定される。
【００４７】
ここで、図３に示す白丸プロットは、ＤＶＤレコーダ１に所定のジッタ計測回路を接続し、当該ジッタ計測回路を用いてウォブル信号検出回路１６により検出されたウォブル信号のジッタを計測することによって取得することができる。
具体的には、レジスタ１８３のレジスタ値（初期値）に基づきＢＰＦ１６４を調整して、当該ＢＰＦ１６４を備えるウォブル信号検出回路１６によって検出されたウォブル信号のジッタを、ジッタ計測回路を用いて計測し、当該計測したジッタを初期値に対応付けて記憶する。次いで、レジスタ１８３のレジスタ値を＋１ＬＳＢずつ増加させながら（或いは、＋１ＬＳＢずつ減少させながら）、当該ＢＰＦ１６４を備えるウォブル信号検出回路１６によって検出されたウォブル信号のジッタを計測して記憶する処理を、繰り返して行うことによって取得することができる。
【００４８】
図３に示すように、ＢＰＦ１６４を通過した信号の振幅が最大である際のレジスタ値と、ウォブル信号検出回路１６によって検出されたウォブル信号のジッタが最小である際のレジスタ値と、は異なっており、ＤＶＤ１４１（ＤＶＤ−Ｒ）の場合、振幅が最大である際のレジスタ値（Ｒ１）に＋１ＬＳＢ加えた値が、ウォブル信号のジッタが最小である際のレジスタ値（Ｒ２）となる。
従来のＤＶＤレコーダにおいては、ＢＰＦを通過した信号の振幅が最大である際のレジスタ値に基づきＢＰＦを調整して、ウォブル信号を検出していたが、図３によれば、当該検出されたウォブル信号は最高品質ではないことが分かる。
最高品質のウォブル信号を検出するためには、ウォブル信号のジッタを直接計測して、ジッタが最小である際のレジスタ値を特定することが好ましい。しかしながら、ジッタを計測するには、ジッタ計測回路等をＤＶＤレコーダに追加する必要があり、ＤＶＤレコーダの製造コスト等が上昇してしまう。
そこで、本実施形態のＤＶＤレコーダ１では、例えば、図３に示すように、ＢＰＦ１６４を通過した信号の振幅が最大である際のレジスタ値と、ウォブル信号検出回路１６によって検出されたウォブル信号のジッタが最小である際のレジスタ値と、の関係を予め取得しておき、ＢＰＦ１６４を通過した信号の振幅が最大である際のレジスタ値にオフセットを加えてＢＰＦ１６４を調整することによって、最高品質のウォブル信号を検出できるよう構成した。
ＣＰＵ１８１は、かかる調整プログラム１８４ｃを実行することによって、調整手段として機能する。
【００４９】
＜レジスタ値特定処理＞
次に、ＢＰＦ１６４を通過した信号の振幅が最大である際のレジスタ値を特定する処理について、図４のフローチャートを参照して説明する。
【００５０】
まず、ＣＰＵ１８１は、ＲＡＭ１８２内の「ｎ」記憶領域に「０」を設定する（ステップＳ１１）。
【００５１】
次いで、ＣＰＵ１８１は、取得プログラム１８４ａを実行して、レジスタ１８３のレジスタ値に基づきＢＰＦ１６４を調整し（ステップＳ１２）、当該ＢＰＦ１６４を通過した信号の振幅を取得して、当該取得した振幅をレジスタ値に対応付けてＲＡＭ１８２等に記憶させる（ステップＳ１３）。
ここで、ＲＡＭ１８２内の「ｎ」記憶領域に「０」が設定されている場合、ＢＰＦ１６４は、レジスタ１８３に予め記憶されている初期値に基づいて調整される。
【００５２】
次いで、ＣＰＵ１８１は、ＲＡＭ１８２内の「ｎ」記憶領域に「ｎ＋１」を設定し（ステップＳ１４）、ＲＡＭ１８２内の「ｎ」記憶領域に設定されている値が、予め設定された値「Ｎ」よりも大きいか否か判断する（ステップＳ１５）。
【００５３】
ステップＳ１５で、ＲＡＭ１８２内の「ｎ」記憶領域に設定されている値が、予め設定された値「Ｎ」よりも大きくないと判断すると（ステップＳ１５；Ｎｏ）、ＣＰＵ１８１は、レジスタ１８３に、現在のレジスタ値に＋１ＬＳＢ加えた値を設定して（ステップＳ１６）、ステップＳ１２以降の処理を繰り返して行う。
【００５４】
一方、ステップＳ１５で、ＲＡＭ１８２内の「ｎ」記憶領域に設定されている値が、予め設定された値「Ｎ」よりも大きいと判断すると（ステップＳ１５；Ｙｅｓ）、ＣＰＵ１８１は、特定プログラム１８４ｂを実行して、ＲＡＭ１８２等に記憶された振幅取得結果から、ＢＰＦ１６４を通過した信号の振幅が最大である際のレジスタ値を特定して、当該特定した値をレジスタ１８３に記憶させ（ステップＳ１７）、本処理を終了する。
【００５５】
＜ＢＰＦ調整処理＞
次に、データの記録及び再生の際に行うＢＰＦ１６４の調整に関する処理について、図５のフローチャートを参照して説明する。
【００５６】
まず、ＣＰＵ１８１は、ユーザによる操作部１７の操作等によって、ＤＶＤ１４１に対しデータの記録又は再生を行うよう指示されたか否か判断する（ステップＳ２１）。
【００５７】
ステップＳ２１で、ＤＶＤ１４１に対しデータの記録又は再生を行うよう指示されていないと判断すると（ステップＳ２１；Ｎｏ）、ＣＰＵ１８１は、ステップＳ２１の処理を繰り返して行う。
【００５８】
一方、ステップＳ２１で、ＤＶＤ１４１に対しデータの記録又は再生を行うよう指示されたと判断すると（ステップＳ２１；Ｙｅｓ）、ＣＰＵ１８１は、調整プログラム１８４ｃを実行して、レジスタ１８３のレジスタ値（ステップＳ１７でレジスタ１８３に記憶させた値）に＋１ＬＳＢ加えた値に基づいてＢＰＦ１６４を調整し（ステップＳ２２）、本処理を終了する。
これにより、ＤＶＤレコーダ１は、最高品質のウォブル信号を検出しながら、ＤＶＤ１４１に対するデータの記録又は再生を行うことができる。
【００５９】
以上説明した本発明のＤＶＤレコーダ１によれば、ＤＶＤ１４１からの反射光により得られた信号が通過するＢＰＦ１６４を有し、当該ＢＰＦ１６４を通過した信号に基づいてウォブルによるウォブル信号を検出するウォブル信号検出回路１６と、ＢＰＦ１６４を調整するための調整値をレジスタ値として記憶するレジスタ１８３と、を備え、レジスタ１８３のレジスタ値を１ＬＳＢずつ変えて、当該レジスタ値に基づきＢＰＦ１６４を調整し、各レジスタ値に対応する当該ＢＰＦ１６４を通過した信号の振幅を取得することができ、当該取得された振幅が最大である際のレジスタ値を特定することができ、データの記録を行う際に、当該特定されたレジスタ値に＋１ＬＳＢ加えた値に基づいてＢＰＦ１６４を調整することができる。
すなわち、ジッタ計測回路等の新たな構成を追加しなくても、最高品質のウォブル信号を検出（抽出）することができる。したがって、製造コストを上昇させることなく、かつ、画質や音質を低下させることなくデータをより高品質に記録できる。
【００６０】
なお、本発明は、上記した実施の形態のものに限るものではなく、その要旨を逸脱しない範囲で適宜変更可能である。
【００６１】
＜変形例１＞
調整プログラム１８４ｃを実行したＣＰＵ１８１は、データの再生や記録を行う際に、特定プログラム１８４ｂを実行したＣＰＵ１８１により特定されたレジスタ値に＋１ＬＳＢを加えた値に基づいてＢＰＦ１６４を調整するようにしたが、これに限ることはなく、例えば、データの再生を行う際に、特定プログラム１８４ｂを実行したＣＰＵ１８１により特定されたレジスタ値に基づいてＢＰＦ１６４を調整するとともに、データの記録を行う際に、特定プログラム１８４ｂを実行したＣＰＵ１８１により特定されたレジスタ値に＋１ＬＳＢを加えた値に基づいてＢＰＦ１６４を調整するようにしても良い。
【００６２】
したがって、この場合、データの記録及び再生の際に行うＢＰＦ１６４の調整に関する処理（ＢＰＦ調整処理）は、例えば、図６に示すフローチャートのようになる。
【００６３】
具体的には、まず、ＣＰＵ１８１は、ユーザによる操作部１７の操作等によって、ＤＶＤ１４１に対しデータの記録を行うよう指示されたか否か判断する（ステップＳ３１）。
【００６４】
ステップＳ３１で、ＤＶＤ１４１に対しデータの記録を行うよう指示されたと判断すると（ステップＳ３１；Ｙｅｓ）、ＣＰＵ１８１は、調整プログラム１８４ｃを実行して、レジスタ１８３のレジスタ値（ステップＳ１７でレジスタ１８３に記憶させた値）に＋１ＬＳＢ加えた値に基づいてＢＰＦ１６４を調整し（ステップＳ３２）、本処理を終了する。
【００６５】
一方、ステップＳ３１で、ＤＶＤ１４１に対しデータの記録を行うよう指示されていないと判断すると（ステップＳ３１；Ｎｏ）、ＣＰＵ１８１は、ユーザによる操作部１７の操作等によって、ＤＶＤ１４１に対しデータの再生を行うよう指示されたか否か判断する（ステップＳ３３）。
【００６６】
ステップＳ３３で、ＤＶＤ１４１に対しデータの再生を行うよう指示されていないと判断すると（ステップＳ３３；Ｎｏ）、ＣＰＵ１８１は、ステップＳ３１以降の処理を繰り返して行う。
【００６７】
一方、ステップＳ３３で、ＤＶＤ１４１に対しデータの再生を行うよう指示されたと判断すると（ステップＳ３３；Ｙｅｓ）、ＣＰＵ１８１は、調整プログラム１８４ｃを実行して、レジスタ１８３のレジスタ値（ステップＳ１７でレジスタ１８３に記憶させた値）に基づいてＢＰＦ１６４を調整し（ステップＳ３４）、本処理を終了する。
【００６８】
変形例１によれば、データの再生時には、最大振幅の信号がＢＰＦ１６４から出力されるため、データをより高品質に再生できる。
【００６９】
なお、上記した本実施形態や変形例１において、光ディスクとしてのＤＶＤ１４１は、ＤＶＤ−Ｒに限られるものではなく、ウォブルが形成されたデータの記録が可能な光ディスクであれば任意であり、ＤＶＤ＋Ｒ、ＤＶＤ−ＲＷ、ＤＶＤ＋ＲＷ、ＢＤ等であっても良い。
また、光ディスク装置は、ＤＶＤレコーダ１に限られるものではなく、光ディスクの種類に応じて適宜任意に変更可能である。
【００７０】
上記した本実施形態や変形例１において、ＢＰＦ１６４を通過した信号の振幅を取得してＲＡＭ１８２等に記憶させる処理を、レジスタ１８３のレジスタ値を＋１ＬＳＢずつ増加させながら（或いは、＋１ＬＳＢずつ減少させながら）、予め設定された回数に達するまで繰り返して行うようにしたが、これに限るものではなく、例えば、レジスタ１８３のレジスタ値を＋１ＬＳＢずつ増加させながら（或いは、＋１ＬＳＢずつ減少させながら）、振幅が最大である際のレジスタ値が判明するまで繰り返して行うようにしても良い。
【００７１】
上記した本実施形態において、特定されたレジスタ値（ＢＰＦ１６４を通過した信号の振幅が最大である際のレジスタ値）をレジスタ１８３に記憶させ、データの再生や記録を行う際、レジスタ１８３のレジスタ値に＋１ＬＳＢを加えた値に基づいてＢＰＦ１６４を調整するようにしたが、これに限るものではなく、例えば、特定されたレジスタ値に＋１ＬＳＢ加えた値をレジスタ１８３に記憶させ、データの再生や記録を行う際、レジスタ１８３のレジスタ値に基づいてＢＰＦ１６４を調整するようにしても良い。
また、上記した変形例１において、特定されたレジスタ値をレジスタ１８３に記憶させ、データの再生を行う際、レジスタ１８３のレジスタ値に基づいてＢＰＦ１６４を調整するとともに、データの記録を行う際、レジスタ１８３のレジスタ値に＋１ＬＳＢを加えた値に基づいてＢＰＦ１６４を調整するようにしたが、これに限るものではなく、例えば、特定されたレジスタ値に＋１ＬＳＢ加えた値をレジスタ１８３に記憶させ、データの再生を行う際、レジスタ１８３のレジスタ値に−１ＬＳＢ加えた値に基づいてＢＰＦ１６４を調整するとともに、データの記録を行う際、レジスタ１８３のレジスタ値に基づいてＢＰＦ１６４を調整するようにしても良いし、特定されたレジスタ値を第１レジスタに記憶させるとともに、特定されたレジスタに＋１ＬＳＢ加えた値を第２レジスタに記憶させ、データの再生を行う際、第１レジスタのレジスタ値に基づいてＢＰＦ１６４を調整するとともに、データの記録を行う際、第２レジスタのレジスタ値に基づいてＢＰＦ１６４を調整するようにしても良い。
【符号の説明】
【００７２】
１  ＤＶＤレコーダ（光ディスク装置）
１６  ウォブル信号検出回路（検出手段）
１４１  ＤＶＤ（光ディスク）
１６４  ＢＰＦ（バンドパスフィルタ）
１８１  ＣＰＵ（取得手段、特定手段、調整手段）
１８３  レジスタ
１８４ａ  取得プログラム（取得手段）
１８４ｂ  特定プログラム（特定手段）
１８４ｃ  調整プログラム（調整手段）
【図１】
2010287286.tif 000003
【図２】
2010287286.tif 000004
【図３】
2010287286.tif 000005
【図４】
2010287286.tif 000006
【図５】
2010287286.tif 000007
【図６】
2010287286.tif 000008